(57)【特許請求の範囲】
【請求項１】
ユーザ機器(ＵＥ)によるワイヤレス通信の方法であって、
潜在的に干渉する近隣基地局からのネットワーク支援干渉消去（ＮＡＩＣ）情報を受信することと、
前記ＮＡＩＣ情報を使用してサービング基地局からの信号を処理する際に干渉消去または抑圧を行うことと
を備え、
前記ＮＡＩＣ情報を受信することが、前記近隣基地局の拡張物理ダウンリンク制御チャネル（ｅＰＤＣＣＨ）を復号することを備え、前記ｅＰＤＣＣＨを復号することは、速度整合を備え、ここにおいて前記速度整合は、前記ｅＰＤＣＣＨに関連付けられる無線ネットワーク一時識別子(ＲＮＴＩ)、前記ｅＰＤＣＣＨを含むｅＰＤＣＣＨセットにマッピングされる速度整合情報、またはｅＰＤＣＣＨセット内のｅＰＤＣＣＨ復号候補のうちの少なくとも１つに依存することを特徴とする、
方法。
【請求項２】
前記ＵＥは同じｅＰＤＣＣＨ復号候補に対して２つ以上の速度整合可能性で構成される、または
前記ＵＥは１つのセルのための１つまたは複数のｅＰＤＣＣＨ復号候補に対して第１の速度整合構成を使用し、他のセルのための１つまたは複数の他のｅＰＤＣＣＨ復号候補に対して第２の速度整合構成を使用するように構成される
のうちの少なくとも１つである、請求項１に記載の方法。
【請求項３】
前記ｅＰＤＣＣＨにペイロードとして含まれるセルＩＤ、
複数のセルＩＤに対する複数のｅＰＤＣＣＨセットのマッピング、または
複数のセルＩＤに対するｅＰＤＣＣＨ速度整合のマッピング
のうちの少なくとも１つにより近隣基地局の同一性を決定することをさらに備える、請求項１に記載の方法。
【請求項４】
前記近隣基地局に対するクアジコロケーション情報をチャネル状態情報基準信号（ＣＳＩ−ＲＳ）のシグナルされたセットに基づいて決定することをさらに備える、請求項１に記載の方法。
【請求項５】
新グループキャストＲＮＴＩを持つ前記ｅＰＤＣＣＨの開始シンボルを、
前記近隣基地局からの物理制御フォーマットインジケータチャネル(ＰＣＦＩＣＨ)を復号すること、
前記ｅＰＤＣＣＨの開始シンボルを半静的にシグナリングすること、または
前記ｅＰＤＣＣＨの固定された位置、
のうちの少なくとも１つに基づいて決定することをさらに備える、請求項１に記載の方法。
【請求項６】
ＮＡＩＣ情報を運ぶグループキャストＲＮＴＩを持つ前記ｅＰＤＣＣＨは前記近隣基地局からの他のｅＰＤＣＣＨ送信と同じ開始シンボルを持つことを必要としない、請求項５に記載の方法。
【請求項７】
前記ＮＡＩＣ情報は、
１つまたは複数のサブフレームにおける動的シグナリング、
何らかの周期性を持つ動的シグナリング、または
半永続的スケジューリング（ＳＰＳ）、
で受信される、請求項１に記載の方法。
【請求項８】
ＮＡＩＣ情報を運ぶ１つまたは複数の近隣基地局の検出、またはどのセル干渉が消去されるかのうちの少なくとも１つに関するフィードバックを提供することをさらに備える、請求項１に記載の方法。
【請求項９】
ＮＡＩＣ情報を運ぶ１つまたは複数の近隣基地局の検出に関するフィードバックを提供することは、前記１つまたは複数の近隣基地局からのＮＡＩＣ情報を運ぶ拡張物理ダウンリンク制御チャネル（ｅＰＤＣＣＨ）を検出することを備え、ここにおいて、前記ｅＰＤＣＣＨは、固定のアグリゲーションレベルを使用して送られる、請求項８に記載の方法。
【請求項１０】
前記フィードバックは、ロングタームフィードバックまたはショートタームフィードバックであって、フィードバックを提供することは、消去の有無についての差分チャネル状態情報を報告することを備え、ここにおいて、どのセル干渉が消去されるかのフィードバックを提供することは、どのセル干渉が消去されるかのロングタームフィードバックまたはショートタームフィードバックを提供することを備える、または、どのセル干渉が消去されるかのフィードバックを提供することは、１つまたは複数の基地局によって割り当てられた干渉管理リソース（ＩＭＲ）に基づくフィードバックを提供することを備える、請求項８に記載の方法。
【請求項１１】
潜在的に干渉する近隣基地局からのネットワーク支援干渉消去（ＮＡＩＣ）情報を第１のキャリア上で受信すること、ここにおいて前記ＮＡＩＣ情報は第２のキャリアに関連する、
を備える、請求項１に記載の方法。
【請求項１２】
ネットワーク支援干渉消去（ＮＡＩＣ）情報を使用して干渉消去または抑圧を行うためのＵＥ能力の指標を提供すること、
を備える、請求項１に記載の方法。
【請求項１３】
前記ＵＥは、キャリアアグリゲーションがイネーブルされるかどうか、採用された変調スキーム、ダウンリンク割り当てのランク、または多地点協調(ＣｏＭＰ)セットサイズのうちの少なくとも１つに基づいて、前記ＮＡＩＣ情報を使用する干渉消去または抑圧をサポートする際に１つまたは複数の処理技法を利用することを、何らかの方式で、制約され、
ここにおいて、前記制約は、キャリアアグリゲーションがイネーブルされる場合に、コンポーネントキャリアのサブセット上でＮＡＩＣをサポートすることを備える、請求項１２に記載の方法。
【請求項１４】
ワイヤレス通信のための装置であって、請求項１〜１３のうちのいずれか一項に記載の方法を行うように構成される受信機を備える、装置。
【発明の詳細な説明】
【関連出願の相互参照】
【０００１】
[0001]  本願は、２０１３年１２月１３日に出願された米国仮特許出願第６１／９１６，０３７号、２０１３年１２月１３日に出願された米国仮特許出願第６１／９１６，１０８号、および２０１４年１１月１０日に出願された米国特許出願第１４／５３６，８３０号の優先権を主張するもので、これら全体が参照により本明細書に組み込まれる。
【技術分野】
【０００２】
[0002]  本開示は、一般にワイヤレス通信に関し、より詳細には、ネットワーク支援干渉消去(ＮＡＩＣ)シグナリングに関する。
【背景技術】
【０００３】
[0003]  ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥ／ＬＴＥアドバンスト（LTE（登録商標）-Advanced）は、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートすることと、コストを下げることと、サービスを改善することと、新しいスペクトルを利用することと、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することとを行うように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示のある特定の態様は、ユーザ機器によるワイヤレス通信のための方法を提供する。方法は、一般に、潜在的に干渉する近隣基地局からのネットワーク支援干渉消去(network assisted interference cancellation)情報を受信することと、このＮＡＩＣ情報を使用してサービング基地局からの信号を処理する際に干渉消去、抑圧、または緩和を行うこととを含む。
【０００６】
[0006]  本開示のある特定の態様は、ユーザ機器によるワイヤレス通信のための方法を提供する。方法は、一般に、潜在的に干渉する近隣基地局からのネットワーク支援干渉消去（ＮＡＩＣ）情報を第１のキャリア上で受信することと、ここにおいてＮＡＩＣ情報は第２のキャリアに関連する、このＮＡＩＣ情報を使用してサービング基地局からの信号を処理する際に干渉消去または抑圧を行うこととを含む。
【０００７】
[0007]  本開示のある特定の態様は、ユーザ機器によるワイヤレス通信のための方法を提供する。方法は、一般に、潜在的に干渉する近隣基地局からのネットワーク支援干渉消去（ＮＡＩＣ）情報を受信することと、このＮＡＩＣ情報を使用してサービング基地局からの信号を処理する際に干渉消去、抑圧、または緩和を行うことと、ＮＡＩＣ情報を運ぶ１つまたは複数の近隣基地局の少なくとも１つの検出に関する、またはどのセル干渉が消去されるかのフィードバックを提供することとを含む。
【０００８】
[0008]  本開示のある特定の態様は、ユーザ機器によるワイヤレス通信のための方法を提供する。方法は、一般に、ＮＡＩＣ情報を使用して干渉消去または抑圧を行うためのＵＥ能力の指標を提供することと、潜在的に干渉する近隣基地局からのネットワーク支援干渉消去（ＮＡＩＣ）情報を受信することと、ＮＡＩＣ情報を使用してサービング基地局からの信号を処理する際に干渉消去または抑圧を行うこととを含む。
【０００９】
[0009]  本開示のある特定の態様は、ユーザ機器によるワイヤレス通信のための方法を提供する。方法は、一般に、潜在的に干渉する近隣基地局からのＮＡＩＣ情報を得るために近隣基地局の拡張物理ダウンリンク制御チャネル(enhanced physical downlink control channel)を復号することと、ここにおいてＥＰＣＣＨを復号することは速度整合(rate matching)を備え、速度整合はｅＰＤＣＣＨに関連付けられるＲＮＴＩ、異なるｅＰＤＣＣＨセットにマッピングされる異なる速度整合情報を持つｅＰＤＣＣＨセット、またはｅＰＤＣＣＨセット内のｅＰＤＣＣＨ復号候補のうちの少なくとも１つに依存するもので、ＮＡＩＣ情報を使用してサービング基地局からの信号を処理する際に干渉消去または抑圧を行うこととを含む。
【００１０】
[0010]  本開示のある特定の態様は、ユーザ機器によるワイヤレス通信のための方法を提供する。方法は一般に、潜在的に干渉する近隣基地局からのＮＡＩＣ情報を得るために近隣基地局の拡張物理ダウンリンク制御チャネル(ｅＰＤＣＣＨ)を復号することと、ここにおいてｅＰＤＣＣＨを復号することは、速度整合を備える、ｅＰＤＣＣＨにおけるペイロードとして含まれるセルＩＤ、複数のセルＩＤに対する複数のｅＰＤＣＣＨセットのマッピング、または複数のセルＩＤに対するｅＰＤＣＣＨ速度整合のマッピングのうちの少なくとも１つにより近隣セルの同一性を決定することと、ＮＡＩＣ情報を使用してサービング基地局からの信号を処理する際に干渉消去または抑圧を行うこととを含む。
【００１１】
[0011]  本開示のある特定の態様は、ユーザ機器によるワイヤレス通信のための方法を提供する。方法は、一般に、新グループキャストＲＮＴＩを持つ拡張物理ダウンリンク制御チャネル(ｅＰＤＣＣＨ)の開始シンボルを、潜在的に干渉する近隣セルからのＰＣＦＩＣＨの復号、半静的なシグナリング、または固定された位置のうちの少なくとも１つに基づいて決定することと、潜在的に干渉する近隣基地局からのネットワーク支援干渉消去（ＮＡＩＣ）情報を得るために近隣基地局のｅＰＤＣＣＨを復号することと、ここにおいてＰＤＣＣＨを復号することは、速度整合を備える、ｅＰＤＣＣＨにおけるペイロードとして含まれるセルＩＤ、複数のセルＩＤに対する複数のｅＰＤＣＣＨセットのマッピング、または複数のセルＩＤに対するｅＰＤＣＣＨ速度整合のマッピングのうちの少なくとも１つにより近隣セルの同一性を決定することと、ＮＡＩＣ情報を使用してサービング基地局からの信号を処理する際に干渉消去または抑圧を行うこととを含む。
【００１２】
[0012]  本開示のある特定の態様は、ユーザ機器によるワイヤレス通信のための方法を提供する。方法は、一般に、潜在的に干渉する近隣基地局からのネットワーク支援干渉消去（ＮＡＩＣ）情報を受信することと、このＮＡＩＣ情報を使用してサービング基地局からの信号を処理する際に干渉消去または抑圧を行うこととを含み、ＮＡＩＣ情報はあるキャリアで受信され第２のキャリア上での干渉消去に使用される。
【００１３】
[0013]  本開示のある特定の態様は、ユーザ機器によるワイヤレス通信のための方法を提供する。方法は、一般に、潜在的に干渉する近隣基地局からのネットワーク支援干渉消去（ＮＡＩＣ）情報を受信することと、このＮＡＩＣ情報を使用してサービング基地局からの信号を処理する際に干渉消去または抑圧を行うことと、ＮＡＩＣ情報を運ぶ１つまたは複数の近隣基地局の検出、またはどのセル干渉が消去されるかのうちの少なくとも１つに関するフィードバックを提供することとを含む。
【００１４】
[0014]  本開示のある特定の態様は、ユーザ機器によるワイヤレス通信のための方法を提供する。方法は、一般に、潜在的に干渉する近隣基地局へ、ネットワーク支援干渉消去（ＮＡＩＣ）情報を使用して干渉消去または抑圧を行うためのＵＥ能力の指標を提供することと、潜在的に干渉する近隣基地局からＮＡＩＣ情報を受信することと、ＮＡＩＣ情報を使用してサービング基地局からの信号を処理する際に干渉消去または抑圧を行うこととを含む。
【００１５】
[0015]  本開示の特定の態様は、基地局によるワイヤレス通信のための方法を提供する。方法は、一般に、ネットワーク支援干渉消去情報を生成し、このＮＡＩＣ情報を近隣基地局によってサーブされるＵＥへサービング基地局からの信号を処理する際に干渉消去または抑圧を行うことにおいて使用するために送信すること含む。
【００１６】
[0016]  本開示のある特定の態様は、ユーザ機器によるワイヤレス通信のための方法を提供する。方法は、一般に、潜在的に干渉する近隣基地局のためのｅＩＭＴＡ構成情報をサービング基地局または潜在的に干渉する近隣基地局の少なくとも１つから受信することと、ｅＩＭＴＡ構成情報を使用してサービング基地局からの信号を処理する際に干渉消去または抑圧を行うこととを含む。
【００１７】
[0017]  本開示のある特定の態様は、上述の態様に対応する、またはそれを補完するワイヤレス通信のための方法を含む。態様は、一般に、添付の図面を参照して本開示で説明されこれらに示されるような方法、装置、システム、コンピュータプログラム製品、および処理システムを含む。「ＬＴＥ」は、一般にＬＴＥおよびＬＴＥアドバンスド（ＬＴＥ−Ａ）を指す。
【図面の簡単な説明】
【００１８】
【図１】ネットワークアーキテクチャの一例を示す図である。
【図２】アクセスネットワークの一例を示す図である。
【図３】ＬＴＥにおけるＤＬフレーム構造の一例を示す図である。
【図４】ＬＴＥにおけるＵＬフレーム構造の一例を示す図である。
【図５】ユーザおよび制御プレーンのための無線プロトコルアーキテクチャの一例を示す図である。
【図６】本開示の一態様に従い、アクセスネットワーク内における発展型ノードＢおよびユーザ機器の一例を示す図である。
【図７】本開示の一態様に従い、ユーザ機器によって行われ得る例動作を示す。
【図８】本開示の一態様に従い、ユーザ機器によって行われ得る例動作を示す。
【図９】本開示の一態様に従い、ユーザ機器によって行われ得る例動作を示す。
【図１０】本開示の一態様に従い、ユーザ機器によって行われ得る例動作を示す。
【発明の詳細な説明】
【００１９】
[0028]  ネットワーク支援干渉消去または抑圧は、一般に、ネットワークに干渉消去、抑圧、または緩和を助けるために干渉情報をＵＥへシグナリングすることをさせる。ネットワークからＵＥへ干渉情報をシグナリングすることは、例えば、ＵＥでの作業負荷を低減すること(例えば、ＵＥが他の基地局からの干渉を決定するために必要とされる作業負荷を低減すること)によって干渉消去を行うことにおいてＵＥを助け得る。本開示の態様は、ＵＥがネットワークからシグナリングされた干渉情報を使用してサービング基地局からの信号を処理する際に干渉消去、抑圧、または緩和を行うための方法を提供する。
【００２０】
[0029]  添付された図面に関連して、以下に記載の詳細な説明は、様々な構成の説明として意図されるものであり、本明細書において説明される概念が実現されうる唯一の構成を表すよう意図されるものではない。詳細な説明は、様々な概念の完全な理解を提供する目的のために特定の詳細を含む。しかしながら、これらの概念がこれらの特定の詳細なしで実現されうることは、当業者にとって明らかであろう。いくつかの例において、そのような概念をあいまいにすることを避けるために、よく知られた構造およびコンポーネントがブロック図形式で示される。
【００２１】
[0030]  ここでは、電気通信システムのいくつかの態様が、さまざまな装置および方法に関連して提示される。装置および方法は、以下の詳細な説明において説明され、様々なブロック、モジュール、コンポーネント、回路、ステップ、処理、アルゴリズムなど（「要素」と総称される）によって添付の図面において例示される。これらエレメントは、ハードウェア、ソフトウェア、またはそれらの組み合わせを使用して実施され得る。そのような要素がハードウェアとしてまたはソフトウェアとして実施されるかどうかは、特定のアプリケーションおよびシステム全体に課される設計の制約に依存する。
【００２２】
[0031]  例として、エレメント、またはエレメントの任意の一部、またはエレメントの任意の組み合わせは、１つ以上のプロセッサを含む「処理システム」を用いて実施され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、ディスクリートハードウェア回路、および、本開示全体を通して説明される様々な機能性を行うように構成された他の好適なハードウェアを含む。処理システムにおける１つまたは複数のプロセッサは、ソフトウェアを実行し得る。ソフトウェアは、ソフトウェア／ファームウェア、ミドルウェア、マイクロコード、ハードウェア記述言語、または別の名称で呼ばれるかどうかにかかわらず、命令、命令のセット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、手順、関数等を意味するものと広く解釈されるものとする。
【００２３】
[0032]  従って、１つまたは複数の例示的な実施形態では、説明する機能が、ハードウェア、ソフトウェア、またはそれらの組合せで実施され得る。ソフトウェアで実施される場合、機能が、コンピュータ可読媒体における１つまたは複数の命令またはコードとして記憶あるいは符号化され得る。コンピュータ可読媒体は、コンピュータ記憶媒体を含む。 記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＰＣＭ(位相変化メモリ)、フラッシュメモリ、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。ディスク（disk）およびディスク（disc）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここにおいて、ディスク（disk）は通常、磁気的にデータを再生するが、その一方でディスク（disc）は、レーザーを用いて光学的にデータを再生する。上記の組み合わせはまた、コンピュータ可読媒体の範疇に含まれるべきである。
【００２４】
[0033]  図１は、本開示の実施形態を実現することができる、パターン認識のための例示的なシステム１００を示す。例えば、ＵＥ１０２およびＥＮＢ１０６は、ここに説明される技術を利用して干渉管理を実践し得る。
【００２５】
[0034]  ＬＴＥネットワークアーキテクチャ１００は、発展型パケットシステム（ＥＰＳ：Evolved Packet System）１００と称され得る。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、および事業者のＩＰサービス１２２を含み得る。ＥＰＳは、他のアクセスネットワークと相互接続することができるが、簡潔化のために、それらのエンティティ／インターフェースは示されない。例示的な他のアクセスネットワークはＩＰマルチメディアサブシステム（ＩＭＳ）ＰＤＮ、インターネットＰＤＮ、管理ＰＤＮ（例えば、プロビジョニングＰＤＮ）、キャリア固有ＰＤＮ、事業者固有ＰＤＮ、および／またはＧＰＳ  ＰＤＮを含み得る。図示されるように、ＥＰＳは、パケット交換サービスを提供する、しかしながら、当業者が容易に理解するであろうように、本開示の全体にわたって示される様々な概念は、回線交換サービスを提供するネットワークに拡張され得る。
【００２６】
[0035]  Ｅ−ＵＴＲＡＮは、発展型ノードＢ（ｅＮＢ）１０６および他のｅＮＢ１０８を含む。ｅＮＢ １０６は、ＵＥ １０２に対してユーザおよび制御プレーンプロトコル終端（terminations）を提供する。ｅＮＢ１０６は、Ｘ２インターフェース（例えば、バックホール）を介して、他のｅＮＢ１０８に接続され得る。ｅＮＢ１０６はまた、基地局、ベーストランシーバ局、無線基地局、無線トランシーバ、トランシーバ機能、基本サービスセット（ＢＳＳ）、拡張サービスセット（ＥＳＳ）、または何らかの他の好適な専門用語で呼ばれ得る。ｅＮＢ １０６は、ＵＥ １０２のためにＥＰＣ １１０へのアクセスポイントを提供する。ＵＥ １０２の例は、セルラ電話、スマートフォン、セッション開始プロトコル（ＳＩＰ）電話、ラップトップ、携帯情報端末（ＰＤＡ）、衛星無線機（satellite radio）、全地球測位システム、マルチメディアデバイス、ビデオデバイス、デジタルオーディオプレーヤ（例えば、ＭＰ３プレーヤ）、カメラ、ゲーム機、タブレット、またはその他任意の同様に機能するデバイスを含む。ＵＥ102はまた、当業者によって、モバイル局、加入者局、モバイルユニット、加入者ユニット、無線ユニット、遠隔ユニット、モバイルデバイス、ワイヤレスデバイス、ワイヤレス通信デバイス、遠隔デバイス、モバイル加入者局、アクセス端末、モバイル端末、無線端末、遠隔端末、ハンドセット、ユーザエージェント、モバイルクライアント、クライアント、または何らかの他の好適な用語と称され得る。
【００２７】
[0036]  ｅＮＢ１０６は、Ｓ１インターフェースによってＥＰＣ１１０に接続される。ＥＰＣ１１０は、モビリティ管理エンティティ（ＭＭＥ）１１２、他のＭＭＥ１１４、サービングゲートウェイ１１６、およびパケットデータネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ １１２は、ベアラおよび接続管理を提供する。全てのユーザＩＰパケットは、それ自体がＰＤＮゲートウェイ１１８に接続されるサービングゲートウェイ１１６を通じて転送される。ＰＤＮゲートウェイ１１８は、ＵＥ ＩＰアドレス割り振りのみならず、その他の機能も提供する。ＰＤＮゲートウェイ１１８は、事業者のＩＰサービス１２２に接続される。事業者のＩＰサービス１２２は、例えばインターネットと、イントラネットと、ＩＰマルチメディアサブシステム（ＩＭＳ）と、ＰＳ（パケット交換）ストリーミングサービス（ＰＳＳ）とを含み得る。このようにして、ＵＥ１０２はＬＴＥネットワークを介してＰＤＮに結合され得る。
【００２８】
[0037]  図２は、本開示の態様が実践され得るＬＴＥネットワークアーキテクチャにおけるアクセスネットワーク２００の一例を示す図である。ｅＮＢ２０４および２０８は図１におけるｅＮＢ１０６に対応し得、ＵＥ２０６は図１におけるＵＥ１０２に対応し得る。ＵＥ２０６、並びにｅＮＢ２０４および２０８はここで説明される技法を利用して干渉管理技法を実践し得る。
【００２９】
[0038]  この例では、アクセスネットワーク２００が、いくつかのセルラ領域（セル）２０２に分割されている。１つまたは複数のより低い電力クラスのｅＮＢ２０８は、セル２０２のうちの１つまたは複数とオーバーラップするセルラ領域２１０を有し得る。より低い電力クラスのｅＮＢ２０８は、遠隔ラジオヘッド（ＲＲＨ）と呼ばれ得る。より低い電力クラスのｅＮＢ２０８は、フェムトセル（例えば、ホームｅＮＢ（ＨｅＮＢ））、ピコセル、またはマイクロセルであり得る。マクロｅＮＢ２０４は各々、該当するセル２０２に割り当てられ、セル２０２内における全てのＵＥ２０６のためのＥＰＣ１１０へのアクセスポイントを提供するよう構成される。アクセスネットワーク２００のこの例には集中型（centralized）コントローラは存在しないが、代替の構成では、集中型コントローラが使用され得る。ｅＮＢ ２０４は、無線ベアラ制御、アドミッション制御、モビリティ制御、スケジューリング、セキュリティ、およびサービングゲートウェイ１１６への接続性を含む、全ての無線に関連する機能を担う。
【００３０】
[0039]  セルラ領域２１０（より低い電力クラスのｅＮＢ２０８に関連する）とセルラ領域２０２（マクロｅＮＢ２０４に関連する）とのオーバラップは、ｅＮＢ２０４または２０８のうちの１つによってサービスされるＵＥに干渉を経験させ得るもので、これはここで説明される技法を利用してＵＥによって消去され得る。ネットワーク２００はまた、１つまたは複数の中継器(図示されない)を含み得る。一応用例によれば、ＵＥは中継器の役割を果たし得る。
【００３１】
[0040]  アクセス・ネットワーク２００によって採用される変調および多元接続スキームは、展開されている特定の電気通信規格に依存して異なり得る。ＬＴＥの応用例では、周波数分割複信（ＦＤＤ）および時分割複信（ＴＤＤ）の両方をサポートするために、ＯＦＤＭがＤＬ上で使用され、ＳＣ−ＦＤＭＡがＵＬ上で使用される。以下の詳細な説明から当業者が容易に理解するように、本明細書に提示されるさまざまな概念は、ＬＴＥの応用例によく適合している。しかしながら、これらの概念は、他の変調および多元接続技法を用いる他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ2000ファミリー規格の一部として、第２世代パートナーシッププロジェクト２（３ＧＰＰ２）によって公表されたエアインタフェース規格であり、モバイル局にブロードバンドインターネットアクセスを提供するためにＣＤＭＡを採用する。これらの概念はまた、広帯域ＣＤＭＡ（Ｗ−ＣＤＭＡ（登録商標））、およびＴＤ−ＳＣＤＭＡのようなＣＤＭＡの他の変形を用いるユニバーサル地上無線アクセス（ＵＴＲＡ）、ＴＤＭＡを用いる移動体通信のためのグローバルシステム（ＧＳＭ（登録商標））、およびＯＦＤＭＡを用いる発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、並びにフラッシュＯＦＤＭに拡張され得る。ＵＴＲＡ、Ｅ−ＵＴＲＡ、ＵＭＴＳ、ＬＴＥ、およびＧＳＭは、３ＧＰＰ団体からの文書内において説明される。ＣＤＭＡ２０００およびＵＭＢは、３ＧＰＰ２団体からの文書に説明されている。採用される実際のワイヤレス通信規格および多元接続技術は、特定の用途およびシステムに課せられる全体的な設計制約に依存するであろう。
【００３２】
[0041]  ｅＮＢ２０４は、ＭＩＭＯ技術をサポートする複数のアンテナを有し得る。ＭＩＭＯ技術の使用は、ｅＮＢ２０４に、空間領域を利用して、空間多重、ビームフォーミング、および送信ダイバーシティをサポートすることを可能にさせる。空間多重化は、同じ周波数上で同時に異なるデータストリームを送信するために使用され得る。データストリームは、データレートを増加させるために単一のＵＥ２０６に、または、全体的なシステム容量を増加させるために複数のＵＥ２０６に、送信され得る。これは、各データストリームを空間的にプリコーディングし（すなわち、振幅および位相のスケーリングを適用し）、その後、ＤＬ上で複数の送信アンテナを通じて各空間的にプリコーディングされたストリームを送信することによって達成される。空間的にプリコーディングされたデータストリームは、異なる空間シグネチャとともにＵＥ２０６（１つまたは複数）へと到達し、それは、ＵＥ２０６（１つまたは複数）の各々が、そのＵＥ２０６を宛先とする１つ以上のデータストリームを復元することを可能にする。ＵＬ上では、各ＵＥ ２０６が、空間的にプリコーディングされたデータストリームを送信し、これは、ｅＮＢ ２０４が、各空間的にプリコーディングされたデータストリームのソースを識別することを可能にする。
【００３３】
[0042]  空間多重化は、一般にチャネル状態が良好なときに使用される。チャネル状態（channel conditions）があまり良好でない場合、ビームフォーミングが１つまたは複数の方向に送信エネルギーを集中させるために使用され得る。これは、複数のアンテナを通じて送信するためのデータを空間的にプリコーディングすることによって達成され得る。セルの端において優れたカバレッジを達成するために、シングルストリームビームフォーミング伝送が、送信ダイバーシティと組み合わせて使用され得る。
【００３４】
[0043]  以下の詳細な説明では、アクセスネットワークの様々な態様が、ＤＬ上でＯＦＤＭをサポートするＭＩＭＯシステムに関連して説明される。ＯＦＤＭは、ＯＦＤＭシンボル内の多数のサブキャリアにわたってデータを変調するスペクトル拡散技法である。これらサブキャリアは、正確な周波数で間隔をあけられている。この間隔をあけること（spacing）は、受信機がこれらサブキャリアからのデータを復元することを可能にする「直交性」を提供する。 時間領域では、ガードインターバル（例えば、サイクリックプリフィックス）がＯＦＤＭシンボル間干渉に対抗するために各ＯＦＤＭシンボルに追加され得る。ＵＬは、高いピーク対平均電力比（ＰＡＰＲ）を補償するために、ＤＦＴ拡散ＯＦＤＭ信号の形態でＳＣ−ＦＤＭＡを使用し得る。
【００３５】
[0044]  図３は、例えば本開示の態様に従って干渉管理情報を送信するために使用され得るＬＴＥにおけるＤＬフレーム構造の一例を示す図である。フレーム（１０ｍｓ）は、１０個の同じサイズのサブフレームに分割され得る。各サブフレームは、２つの連続した時間スロットを含み得る。リソースグリッドは、各々がリソースブロックを含む２個のタイムスロットを表すために使用され得る。リソースグリッドは、複数のリソースエレメントに分割される。ＬＴＥ内において、リソースブロックは、周波数ドメイン内における１２の連続するサブキャリアと、各ＯＦＤＭシンボル内における通常のサイクリックプリフィクスでは、時間ドメイン内における７つの連続するＯＦＤＭシンボルとを含み、すなわち、８４のリソース要素を含む。拡張されたサイクリックプリフィックスに対して、リソースブロックは、時間ドメイン内において６つの連続したＯＦＤＭシンボルを含み、７２のリソース要素を有する。リソース要素のうちのいくつかは、Ｒ３０２、３０４として示されるように、ＤＬ基準信号（ＤＬ−ＲＳ）を含む。ＤＬ−ＲＳは、（共通ＲＳと呼ばれることもある）セル固有ＲＳ（ＣＲＳ）３０２およびＵＥ固有ＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上でのみ送信される。各リソース要素によって搬送されるビット数は、変調スキームに依存する。従って、ＵＥが受信するリソースブロックが多いほど、および、変調スキームが高度であるほど、ＵＥのためのデータレートはより高くなる。
【００３６】
[0045]  ＬＴＥにおいて、ｅＮＢは、ｅＮＢにおける各セルにプライマリー同期信号（ＰＳＳ）とセカンダリー同期信号（ＳＳＳ）を送信し得る。プライマリおよびセカンダリ同期信号は、通常のサイクリックプレフィックス（ＣＰ）を有する各無線フレームのサブフレーム０および５の各々内におけるシンボル期間６および５内において、それぞれ、送られ得る。同期信号は、セル検出および獲得のためにＵＥによって使用され得る。ｅＮＢは、サブフレーム０のスロット１内におけるシンボル期間０〜３内において物理ブロードキャストチャネル（ＰＢＣＨ）を送り得る。ＰＢＣＨは、ある特定のシステム情報を搬送し得る。
【００３７】
[0046]  ｅＮＢは、各サブフレームの第１のシンボル期間内において物理制御フォーマットインジケータチャネル（ＰＣＦＩＣＨ：Physical Control Format Indicator Channel）を送り得る。ＰＣＦＩＣＨは、制御チャネルに対して使用されるシンボル期間の数（Ｍ個）を伝達し、ここにおいて、Ｍは、１、２、または３に等しく、サブフレームごとに変化し得る。Ｍはまた、例えば、１０個未満のリソースブロックを有する、小さなシステム帯域幅の場合、４に等しくなり得る。ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送り得る。ＰＨＩＣＨは、ハイブリッド自動再送要求（ＨＡＲＱ）をサポートするために情報を搬送し得る。ＰＤＣＣＨは、ＵＥに対するリソース割り振りに関する情報と、ダウンリンクチャネルのための制御情報とを搬送し得る。ＰＤＣＣＨは、ここで説明される干渉管理を行うことにおいてＵＥによって使用されるための情報をさらに搬送し得る。ｅＮＢは、各サブフレームの残りのシンボル期間内において物理ダウンリンク共有チャネル（ＰＤＳＣＨ）を送り得る。ＰＤＳＣＨは、ダウンリンク上におけるデータ送信のためにスケジュールされたＵＥのためのデータを搬送し得る。
【００３８】
[0047]  ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、ＰＣＦＩＣＨおよびＰＨＩＣＨを、これらのチャネルが送られる各シンボル期間内において、システム帯域幅全体にわたって送り得る。ｅＮＢは、システム帯域幅のある特定の部分内においてＵＥのグループにＰＤＣＣＨを送り得る。ｅＮＢは、システム帯域幅の特定の部分内において特定のＵＥにＰＤＳＣＨを送り得る。ｅＮＢは、全てのＵＥにブロードキャスト方式でＰＳＳ、ＳＳＳ、ＰＢＣＨ、ＰＣＦＩＣＨ、およびＰＨＩＣＨを送り、特定のＵＥにユニキャスト方式でＰＤＣＣＨを送り、また特定のＵＥにユニキャスト方式でＰＤＳＣＨを送り得る。
【００３９】
[0048]  いくつかのリソース要素が、各シンボル期間内において利用可能であり得る。各リソース要素（ＲＥ）は、１つのシンボル期間内において１つのサブキャリアをカバーし、１つの変調シンボルを送るために使用され、それは、実数値または複素数値であり得る。各シンボル期間内において基準信号に対して使用されないリソース要素は、リソース要素グループ（ＲＥＧ）内に配置され得る。各ＲＥＧは、１つのシンボル期間内において４つのリソース要素を含み得る。ＰＣＦＩＣＨは、４つのＲＥＧを占有し、それらは、シンボル期間０内において、周波数にわたってほぼ均等に間隔をあけられ得る。ＰＨＩＣＨは、３つのＲＥＧを占有し、それらは、１つまたは複数の構成可能なシンボル期間内において、周波数にわたって拡散され得る。例えば、ＰＨＩＣＨのための３つのＲＥＧは、全てシンボル期間０内に属すか、またはシンボル期間０、１、および２内において拡散され得る。ＰＤＣＣＨは、例えば、最初のＭ個のシンボル期間内において、９、１８、３６、または７２個のＲＥＧを占有し、それらは、利用可能なＲＥＧから選択され得る。ＲＥＧのある特定の組み合わせのみが、ＰＤＣＣＨに対して許可され得る。本方法および装置の態様では、サブフレームが１より多くのＰＤＣＣＨを含み得る。
【００４０】
[0049]  ＵＥは、ＰＨＩＣＨおよびＰＣＦＩＣＨに対して使用される特定のＲＥＧを知り得る。ＵＥは、ＰＤＣＣＨに対するＲＥＧの異なる組み合わせを探索し得る。探索すべき組み合わせの数は典型的に、ＰＤＣＣＨに対して許可される組み合わせの数よりも少ない。ｅＮＢは、ＵＥが探索するであろう組み合わせのいずれかにおいてＵＥにＰＤＣＣＨを送り得る。
【００４１】
[0050]  図４は、例えば本開示の態様に従って干渉管理フィードバックを送信するために使用され得るＬＴＥにおけるＵＬフレーム構造の一例を示す図である。ＵＬのために利用可能なリソースブロックは、データセクションと制御セクションとに区画され得る。制御セクションは、システム帯域幅の２つのエッジにおいて形成されることができ、設定可能なサイズを有することができる。制御セクションにおけるリソースブロックは、制御情報の送信のためにＵＥに割り当てられ得る。データセクションは、制御セクション内において含まれない全てのリソースブロックを含み得る。ＵＬフレーム構造は、連続したサブキャリアを含むデータセクションをもたらし、これは、単一のＵＥに、データセクションにおける全ての連続したサブキャリアが割り当てられることを可能にし得る。
【００４２】
[0051]  ＵＥは、ｅＮＢに制御情報を送信するために、制御セクションにおけるリソースブロック４１０ａ、４１０ｂを割り当てられ得る。ＵＥはまた、ｅＮＢにデータを送信するために、データセクションにおけるリソースブロック４２０ａ、４２０ｂを割り当てられ得る。ＵＥは、制御セクションにおける割り当てられたリソースブロック上の物理ＵＬ制御チャネル（ＰＵＣＣＨ）において、制御情報を送信し得る。ＵＥは、データセクションにおける割り当てられたリソースブロック上の物理ＵＬ共有チャネル（ＰＵＳＣＨ）において、データのみ、またはデータと制御情報の両方を送信し得る。ＵＬ送信は、サブフレームの両方のスロットにまたがることができ、周波数にわたってホッピングすることができる。ここで説明されるように、本開示のある態様によれば、ＵＬ送信の内容が例えば干渉管理に関係するフィードバック、またはネットワーク支援干渉管理情報を使用して干渉管理を行う能力に関係する情報を含み得る。
【００４３】
[0052]  リソースブロックのセットは、初期システムアクセスを行ってＵＬ同期を物理ランダムアクセスチャネル（ＰＲＡＣＨ）４３０において達成するために使用され得る。ＰＲＡＣＨ ４３０は、ランダムシーケンスを搬送し、いずれのＵＬデータ／シグナリングも搬送することはできない。各ランダムアクセスプリアンブルは、６個の連続したリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨについては周波数ホッピングは存在しない。ＰＲＡＣＨの試みは、単一のサブフレーム（１ ｍｓ）において、または少数の連続したサブフレームのシーケンスにおいて搬送され、ＵＥは、１フレーム（１０ ｍｓ）ごとに単一のＰＲＡＣＨの試みのみを行うことができる。
【００４４】
[0053]  図５は、例えば本開示の態様に従って干渉管理を行い得るＵＥ１０２およびｅＮＢ１０６間の通信のために使用され得るユーザおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能を実施する。Ｌ１レイヤは、ここで物理レイヤ５０６と呼ばれることになる。レイヤ２（Ｌ２レイヤ）５０８は、物理レイヤ５０６より上位にあり、物理レイヤ５０６を介したＵＥとｅＮＢの間のリンクを担う。
【００４５】
[0054]  ユーザ・プレーンでは、Ｌ２レイヤ５０８は、媒体アクセス制御（ＭＡＣ：media access control）サブレイヤ５１０、無線リンク制御（ＲＬＣ：radio link control）サブレイヤ５１２、パケット・データ・コンバージェンス・プロトコル（ＰＤＣＰ：packet data convergence protocol）５１４サブレイヤを含み、それらは、ネットワーク側のｅＮＢで終端する。示されないが、ＵＥは、ネットワーク側のＰＤＮゲートウェイ１１８において終端されるネットワークレイヤ（例えば、ＩＰレイヤ）と、接続の他端（例えば、遠端のＵＥ、サーバなど）において終端されるアプリケーションレイヤとを含む、Ｌ２レイヤ５０８より上位のいくつかの上位レイヤを有し得る。
【００４６】
[0055]  ＰＤＣＰサブレイヤ５１４は、異なる無線ベアラと論理チャネルとの間での多重化を提供する。ＰＤＣＰサブレイヤ５１４はまた、無線送信オーバヘッドを低減させるための上位レイヤデータパケットのためのヘッダ圧縮、データパケットを暗号化することによるセキュリティ、およびｅＮＢ間のＵＥのためのハンドオーバサポートを提供する。ＲＬＣサブレイヤ５１２は、上位レイヤデータパケットのセグメンテーションおよびリアセンブリ（reassembly）と、紛失データパケットの再送信と、ハイブリッド自動再送要求（ＨＡＲＱ：hybrid automatic repeat request）による、順序の狂った受信を補正するデータパケットの並べ替えと提供する。ＭＡＣサブレイヤ５１０は、論理チャネルとトランスポートチャネルの間の多重化を提供する。ＭＡＣサブレイヤ５１０はまた、複数のＵＥの間で１つのセルにおける様々な無線リソース（例えば、リソースブロック）を割り振ることを担う。ＭＡＣサブレイヤ５１０はまた、ＨＡＲＱ動作を担う。
【００４７】
[0056]  制御プレーンにおいて、ＵＥおよびｅＮＢのための無線プロトコルアーキテクチャは、制御プレーンではヘッダ圧縮機能がないという点を除き、物理レイヤ５０６およびＬ２レイヤ５０８の場合と実質的に同一である。制御プレーンはまた、レイヤ３（Ｌ３レイヤ）における無線リソース制御（ＲＲＣ）サブレイヤ５１６を含む。ＲＲＣサブレイヤ５１６は、無線リソース（すなわち、無線ベアラ）を取得することと、ｅＮＢおよびＵＥ間においてＲＲＣシグナリングを使用してより下位のレイヤを構成することとを担う。
【００４８】
[0057]  図６は、本開示の態様が実践され得るアクセスネットワークにおいてＵＥ ６５０と通信状態にあるｅＮＢ６１０のブロック図である。例えば、ｅＮＢ６１０は図１に示されるｅＮＢ１０６に対応し得、ＵＥ６５０は図１に示されるＵＥ１０２に対応し得る。ｅＮＢ６１０およびＵＥ６５０はここに説明される技法を利用して干渉管理を実践し得る。
【００４９】
[0058]  ＤＬでは、コアネットワークからの上位レイヤパケットが、コントローラ／プロセッサ６７５に提供される。コントローラ／プロセッサ６７５は、Ｌ２レイヤの機能を実施する。ＤＬでは、コントローラ／プロセッサ６７５は、様々な優先順位メトリックに基づいて、ＵＥ ６５０への無線リソースの割り振り、論理チャネルとトランスポートチャネルの間の多重化、パケットのセグメント化と並べ替え（reordering）、暗号化、およびヘッダ圧縮を提供する。コントローラ／プロセッサ６７５はまた、ＨＡＲＱ動作、損失パケットの再送、およびＵＥ ６５０へのシグナリングを担う。
【００５０】
[0059]  ＴＸプロセッサ６１６は、Ｌ１レイヤ（すなわち、物理レイヤ）のための様々な信号処理機能を実施する。信号処理機能は、ＵＥ６５０における前方誤り訂正（ＦＥＣ）を容易にするようコーディングおよびインターリーブすることと、様々な変調スキーム（例えば、２位相偏移変調（ＢＰＳＫ）、４位相偏移変調（ＱＰＳＫ）、Ｍ位相変調（Ｍ−ＰＳＫ）、Ｍ値直交振幅変調（Ｍ−ＱＡＭ））に基づいて信号コンステレーションにマッピングすることとを含む。コーディングおよび変調されたシンボルは、その後、並列なストリームに分けられる。その後、各ストリームは、ＯＦＤＭサブキャリアにマッピングされ、時間および／または周波数領域において基準信号（例えば、パイロット）と多重化され、その後、逆高速フーリエ変換（ＩＦＦＴ）を使用して共に組み合わされて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調スキームを決定するためのみならず、空間処理のためにも使用され得る。チャネル推定値は、ＵＥ６５０によって送信されたチャネル状態フィードバックおよび／または基準信号から導出され得る。そして、各空間ストリームは、別個の送信機６１８ＴＸを介して異なるアンテナ６２０に提供される。各送信機６１８ＴＸは、送信のために該当する空間ストリームでＲＦキャリアを変調する。
【００５１】
[0060]  ＵＥ６５０では、各受信機６５４ＲＸが、その該当するアンテナ６５２を通じて信号を受信する。各受信機６５４ＲＸは、ＲＦキャリア上において変調された情報を復元し、受信機（ＲＸ）プロセッサ６５６に情報を提供する。ＲＸプロセッサ６５６は、Ｌ１レイヤの様々な信号処理機能を実施する。ＲＸプロセッサ６５６は、ＵＥ６５０に宛てられた任意の空間ストリームを復元するために、その情報に対し空間処理を行う。複数の空間ストリームがＵＥ６５０に宛てられる場合、それらは、ＲＸプロセッサ６５６により単一のＯＦＤＭシンボルストリームに組み合わされ得る。その後、ＲＸプロセッサ６５６は、高速フーリエ変換（ＦＦＴ）を使用して、ＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上におけるシンボル、および基準信号は、ｅＮＢ６１０によって送信された最も可能性の高い信号コンステレーションポイントを決定することによって復元および復調される。これらの軟判定は、チャネル推定器６５８によって計算されたチャネル推定値に基づき得る。その後、軟判定は、物理チャネル上でｅＮＢ６１０によって当初送信されたデータおよび制御信号を復元するために、復号およびデインタリーブされる。その後、データおよび制御信号は、コントローラ／プロセッサ６５９に提供される。
【００５２】
[0061]  コントローラ／プロセッサ６５９は、Ｌ２レイヤを実施する。コントローラ／プロセッサは、プログラムコードおよびデータを記憶するメモリ６６０に関連付けられ得る。メモリ６６０は、コンピュータ可読媒体と呼ばれ得る。ＵＬにおいて、コントローラ／プロセッサ６５９は、コアネットワークからの上位レイヤパケットを復元するよう、トランスポートチャネルと論理チャネルとの間での逆多重化、パケットのリアセンブリ、暗号解読、ヘッダの解凍、制御信号処理を提供する。上位レイヤパケットは、その後、データシンク６６２に提供され、それは、Ｌ２レイヤより上位の全てのプロトコルレイヤを表す。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）および／または否定応答（ＮＡＣＫ）プロトコルを使用した誤り検出を担う。
【００５３】
[0062]  ＵＬでは、データ・ソース６６７が上位レイヤ・パケットをコントローラ／プロセッサ６５９に提供するために使用される。データソース６６７は、Ｌ２レイヤより上位の全てのプロトコルレイヤを表す。ｅＮＢ６１０によるＤＬ送信に関連して説明された機能と同様に、コントローラ／プロセッサ６５９は、ヘッダ圧縮、暗号化、パケットセグメンテーションと並び替え、およびｅＮＢ６１０による無線リソースの割り振りに基づいて論理およびトランスポートチャネル間における多重化を提供することにより、ユーザプレーンおよび制御プレーンのためのＬ２レイヤを実施する。コントローラ／プロセッサ６５９はまた、ＨＡＲＱ動作、損失パケットの再送、ｅＮＢ６１０へのシグナリングを担う。
【００５４】
[0063]  ｅＮＢ６１０によって送信されたフィードバックまたは基準信号からチャネル推定器６５８によって導出されたチャネル推定値は、適切なコーディングおよび変調スキームを選択し、空間処理を容易にするために、ＴＸプロセッサ６６８によって使用され得る。ＴＸプロセッサ６６８によって生成された空間ストリームは、別個の送信機６５４ＴＸを介して異なるアンテナ６５２に提供される。各送信機６５４ＴＸは、送信のために該当する空間ストリームでＲＦキャリアを変調する。
【００５５】
[0064]  ＵＬ送信は、ＵＥ６５０における受信機機能に関連して説明されたのと同様の手法により、ｅＮＢ６１０で処理される。各受信機６１８ＲＸは、その該当するアンテナ６２０を通じて信号を受信する。各受信機７１８ＲＸは、ＲＦキャリア上に変調された情報を復元し、ＲＸプロセッサ６７０にその情報を提供する。ＲＸプロセッサ６７０は、Ｌ１レイヤを実施し得る。
【００５６】
[0065]  コントローラ／プロセッサ６７５は、Ｌ２レイヤを実施する。コントローラ／プロセッサ６７５は、プログラムコードおよびデータを記憶するメモリ６７６に関連付けられ得る。メモリ６７６は、コンピュータ可読媒体と呼ばれ得る。ＵＬでは、コントローラ／プロセッサ６７５が、ＵＥ６５０からの上位レイヤパケットを復元するために、トランスポートチャネルと論理チャネルの間の逆多重化、パケットの再組立て、暗号解読、ヘッダ圧縮解除、制御信号処理を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫおよび／またはＮＡＣＫプロトコルを使用した誤り検出を担う。コントローラ／プロセッサ６７５、６５９は、それぞれ、ｅＮＢ６１０およびＵＥ６５０での動作を指示し得る。ＵＥ６５０でのコントローラ／プロセッサ６５９および／または他のプロセッサおよびモジュールは、図７における例動作７００、図８における例動作８００、図９における例動作９００、図１０における例動作１０００、および／またはネットワークによってシグナリングされた情報を使用して例えば干渉消去を行うためにここで説明される技法のための他のプロセスを行うかまたは指示し得る。ｅＮＢ６１０でのコントローラ／プロセッサ６７５および／または他のプロセッサおよびモジュールは、ここで説明される技法のための様々なプロセスを行うかまたは指示し得る。態様において、図６に示されるコンポーネントの１つまたは複数のどれかは例動作７００、８００、９００、１０００および／またはここで説明される技法のための他のプロセスを行うために使用され得る。
【００５７】
ネットワーク支援干渉消去（ＮＡＩＣ）シグナリング
[0066]  ネットワーク支援干渉消去は、一般にネットワークに例えばＵＥでの作業負担を低減することによる干渉消去を助けるために干渉情報をＵＥへシグナリングすることをさせる。ネットワーク支援干渉消去は、例えばシンボルレベル干渉消去（ＳＬＩＣ）をサポートする受信機、低減複雑性最尤（ＲーＭＬ：reduced complexity maximum likelihood）受信機、強調最小平均二乗誤差（Ｅ−ＭＭＳＥ−ＩＲＣ：enhanced minimum mean square error）受信機、またはコードワードレベル干渉消去をサポートする受信機上で実施され得る。
【００５８】
[0067]  ＮＡＩＣシグナリングは様々な方式で行われ得る。いくつかの態様では、ＮＡＩＣをサポートするサービングセルが干渉情報の半静的シグナリングを行い得る。いくつかの態様では、サービングセルが例えば変調順序、プリコーディングマトリクス、および／またはリソースブロック割り当てのような干渉情報を動的にシグナリングできる。いくつかの態様では、干渉するセルが干渉するセルからの干渉を経験しているセルと通信中である複数のＵＥへ干渉状態をシグナリングし得る。
【００５９】
[0068]  図７は、本開示の態様に従いネットワーク支援干渉消去情報に基づいて干渉消去または干渉緩和を行うためにＵＥによって行われ得る例動作７００を示す。動作７００は７０２で始まり、ここではＵＥが潜在的に干渉する近隣基地局からのネットワーク支援干渉消去（ＮＡＩＣ）情報を受信できる。７０４では、ＵＥがＮＡＩＣ情報を使用してサービング基地局からの信号を処理する際に干渉消去または抑圧を行うことができる。
【００６０】
[0069]  図８は、本開示の態様に従いネットワーク支援干渉消去情報に基づいて干渉消去または干渉緩和を行うためにＵＥによって行われ得る例動作８００を示す。動作８００は８０２で始まり、ここではＵＥが潜在的に干渉する近隣基地局からのネットワーク支援干渉消去（ＮＡＩＣ）情報を受信できる。ＮＡＩＣ情報は第１のキャリア上で受信でき、第２のキャリアに関連することができる。８０４では、ＵＥがＮＡＩＣ情報を使用してサービング基地局からの信号を処理する際に干渉消去または抑圧を行うことができる。
【００６１】
[0070]  図９は、本開示の態様に従いネットワーク支援干渉消去情報に基づいて干渉消去または干渉緩和を行うためにＵＥによって行われ得る例動作９００を示す。動作９００は９０２で始まり、ここではＵＥが潜在的に干渉する近隣基地局からのネットワーク支援干渉消去（ＮＡＩＣ）情報を受信できる。９０４では、ＵＥがＮＡＩＣ情報を使用してサービング基地局からの信号を処理する際に干渉消去または抑圧を行うことができる。９０６では、ＵＥがＮＡＩＣ情報を運ぶ１つまたは複数の近隣基地局の検出、またはどのセル干渉が消去されるかのうちの少なくとも１つに関するフィードバックを提供できる。
【００６２】
[0071]  図１０は、本開示の態様に従いネットワーク支援干渉消去情報に基づいて干渉消去または干渉緩和を行うためにＵＥによって行われ得る例動作１０００を示す。動作１０００は１００２で始まり、ここではＵＥがネットワーク支援干渉消去（ＮＡＩＣ）情報を使用して干渉消去または抑圧を行うためのＵＥ能力の指標を提供する。１００４では、ＵＥが潜在的に干渉する近隣基地局からのＮＡＩＣ情報を受信する。１００６では、ＵＥがＮＡＩＣ情報を使用してサービング基地局からの信号を処理する際に干渉消去または抑圧を行う。
【００６３】
[0072]  一態様において、いくつかの場合に、ＵＥが近隣基地局の拡張物理ダウンリンク制御チャネル(ｅＰＤＣＣＨ)を復号することによってＮＡＩＣ情報を受信し得る。ｅＰＤＣＣＨは、ＣＳＩ−ＲＳのような他の信号周辺の速度整合によって送信される。速度整合は、例えば規格で定義された値に従って設定され得る。
【００６４】
ｅＰＤＣＣＨを正しく復号するために、受信ＵＥは通常ｅＰＤＣＣＨのための速度整合情報を持つ必要がある。しかしながら、もしｅＰＤＣＣＨが近隣セルから送信される場合、ＵＥは規格によってシグナリングされるか特定されない限り速度整合情報を知り得ない。一態様では、速度整合が無線ネットワーク一時識別子（ＲＮＴＩ：radio network temporary identifier）（例えばｅＰＤＣＣＨに関連する）に依存できる。他のセル内のユーザにシグナリングすることを意図されるｅＰＤＣＣＨは、Ｇ−ＲＮＴＩのような特別グループＲＮＴＩを使用できる。新たなＧ−ＲＮＴＩを持つグループキャストまたはブロードキャストでは、ＵＥが共通基準信号（ＣＲＳ：common reference signal）またはチャネル状態情報基準信号（ＣＳＩ−ＲＳ：channel state information reference signal）周辺の速度整合をする必要のないことができる。このように、他のセルからのユーザはＣＲＳまたはＣＳＩ−ＲＳの詳細な構成の知識なしにＧ−ＲＮＴＩを持つｅＰＤＣＣＨを検出できる。他方、Ｃ−ＲＮＴＩを持つｅＰＤＣＣＨのような通常のｅＰＤＣＣＨを送信する基地局によってサービスされているＵＥを意図されるｅＰＤＣＣＨは、同じ速度整合情報（例えば、企画によって設定された値）に従うことを継続できる。ＲＮＴＩに基づく速度整合はパンクチャからいくらかの性能劣化をもたらし得る。この性能劣化は、例えば強い送信信号で許容し得る。一態様では、速度整合が異なる速度整合情報を持つｅＰＤＣＣＨセットを複数の異なるｅＰＤＣＣＨセットにマッピングすることに依存し得る。例えば、ｅＰＤＣＣＨセットは情報をブロードキャストまたはグループキャストするために複数の干渉するセルに整合され得る。速度整合情報を異なるセットにマッピングすることにおいて、ＵＥは１つより多くのフォーマットのブラインド検出を行い得る。複数の態様において、速度整合情報はｅＰＤＣＣＨ候補にマッピングされ得る。複数の態様において、速度整合情報は１つより多くのセルＩＤにマッピングされ得る。複数の態様において、速度整合はｅＰＤＣＣＨセット内のｅＰＤＣＣＨ候補をマッピングすることを備え得る。例えば、同じｅＰＤＣＣＨ復号候補について、２つ以上の速度整合可能性がＵＥに対して構成され得る。一態様では、いくつかのｅＰＤＣＣＨ候補が第１のセルに対する第１の速度整合可能性を使用し得、他の複数のｅＰＤＣＣＨ候補が１つまたは複数の他のセルに対する１つまたは複数のｅＰＤＣＣＨ復号候補のための構成を少なくとも使用できる。
【００６５】
[0073]  近隣基地局のｅＰＤＣＣＨを復号することは、近隣基地局の同一性を決定することを含み得る。一態様では、近隣基地局の同一性を決定することが、ｅＰＤＣＣＨ内にデータペイロードとして含まれるセルＩＤを検出することによって行われ得る。例えば、ＰＤＣＣＨ内に含まれるセルＩＤは、仮想セルＩＤ（ＶＣＩＤ）であり得る。一態様では、近隣基地局の同一性を決定することが、複数のｅＰＤＣＣＨセットを複数のセルＩＤに（例えば、それぞれ）マッピングすることを必然的に伴い得る。複数のｅＰＤＣＣＨセットを複数の干渉するセルに（例えば、それぞれ）マッピングすることは、情報をブロードキャストまたはグループキャストするために行われ得る。マッピングは半静的にＵＥにシグナリングされ得、ＵＥは１つより多くのフォーマットのブラインド検出を行い得る。
【００６６】
[0074]  ＵＥが近隣または干渉するセルのｅＰＤＣＣＨ（例えば、グループキャストＲＮＴＩを持つｅＰＤＣＣＨ）を復号する場合、ＵＥはこのｅＰＤＣＣＨの開始シンボルを決定する必要があり得る。一態様では、ｅＰＤＣＣＨの開始シンボルを決定することが、近隣セルからの物理制御フォーマットインジケータチャネル（ＰＣＦＩＣＨ）を復号することに基づき得る。一態様では、近隣または干渉するセルが開始シンボルについての情報を半静的にシグナリングし得る。例えば、セルはＧ−ＲＮＴＩを持つｅＰＤＣＣＨの固定された位置または開始シンボルをシグナリングし得る。いくつかの態様では、ＮＡＩＣなどの、他のセル内のユーザに対するシグナリングを意図されたＧ−ＲＮＴＩを持つｅＰＤＣＣＨが、同じセルからの他のｅＰＤＣＣＨと同じ開始シンボル位置を持つことを必要としない。
【００６７】
[0075]  複数の態様では、近隣基地局に対するクアジコロケーション情報(quasi-colocation information)が決定され得る（例えば、ｅＰＤＣＣＨ検出を行いながら）。 クアジコロケーション情報は、例えば近隣または干渉するセルのｅＰＤＣＣＨを復号するための時間および／または周波数トラッキングを行うために使用され得る。一態様では、近隣基地局に対するクアジコロケーション情報がＣＳＩ−ＲＳ（例えば、近隣基地局によって送信される）のシグナリングされたセットに基づき得る。ＵＥは、近隣セルから送信された信号を復号するための時間および／または周波数トラッキングを行うために近隣セルからＣＳＩ−ＲＳ構成をシグナリングされ得る。
【００６８】
[0076]  ＮＡＩＣは、例えばキャリアアグリゲーションが使用されているところで、複数のキャリアにわたって干渉消去を行うために使用され得る。一態様では、ＮＡＩＣ情報が第１のキャリア上で受信され、第２のキャリア上の干渉消去を行うために使用され得る。クロスキャリアシグナリングは、例えば、ｅＰＤＣＣＨ上の送信で動的に行われ得る。一態様では、第２のキャリアに対する干渉情報を持つＮＡＩＣ情報が無線リソース制御（ＲＲＣ）シグナリングで受信されることができる。キャリアアグリゲーションが使用されている場合、Ｐセルが動的（例えば、クロスキャリアシグナリングを伴うＰＤＣＣＨまたはｅＰＤＣＣＨ）または半静的（例えばＲＲＣシグナリングによる）方式でＳセル上の干渉状態をシグナリングできる。
【００６９】
[0077]  セルは、干渉情報を様々な方式でシグナリングし得る。例えば、ＮＡＩＣ情報は、１つまたは複数のサブフレームにおいて動的にシグナリングされ得る。一態様では、ＮＡＩＣ情報が何らかの周期性で動的にシグナリングされ得る。これは、例えば、Ｇ−ＲＮＴＩを使用するｅＰＤＣＣＨについてどのサブフレームをモニタするかをＵＥへシグナリングすることを必然的に伴い得る。一態様では、周期性を持つ動的シグナリングが、シグナリングされた干渉情報がその間有効であると考えられる永続的ウィンドウを定義することを必然的に伴い得る。一態様では、干渉信号が半永続的にスケジューリングされる場合に、半永続的にスケジューリングされるデータについての情報がＮＡＩＣのためにシグナリングされ得る。ＮＡＩＣ情報は半永続的なスケジューリング（ＳＰＳ）でシグナリングされ受信され得る。ｅＮＢが半永続的スケジューリングを使用するときには、ｅＮＢが消去のために他のセルへ永続的割り当て情報をシグナルし得る。
【００７０】
[0078]  様々な手段がｅＰＤＣＣＨカバレッジおよび干渉消去を確実にするために使用され得る。一態様では、ｅＰＤＣＣＨが固定のアグリゲーションレベル(fixed aggregation level)を使用して送られ得る。 一態様では、ＵＥが干渉消去フィードバックをサービングセルへシグナリングし得る。フィードバックは、ＮＡＩＣ情報またはキャンセルされるセル干渉を識別する情報を運ぶ近隣基地局ｅＰＤＣＣＨの検出を備え得る。フィードバックは、ロングタームフィードバックまたはショートタームフィードバックを備え得る。一態様では、ロングタームフィードバックまたはショートタームフィードバックが異なるセルに対する差分チャネル状態情報を報告すること（例えば、干渉消去または抑圧の有無についての差分チャネル状態情報を報告すること）を含み得る。複数の態様で、ＵＥはどのセルが消去されるかの情報と一緒に消去で差分ＣＳＩを報告できる。フィードバックは、例えばどの干渉が消去されているかの指標を含み得る。どの干渉が消去されているかの指標は、１つまたは複数のビット（例えばＨＡＲＱのために送信されるＡＣＫ／ＮＡＣＫビットと一緒の単一ビット）を備え得る。複数の態様で、ｅＮＢはＩＣ判定を反映する、干渉管理リソース（ＩＭＲ）をスケジューリングし得る。例えば、ＩＭＲは残りの干渉と同じＰＭＩおよび変調順序を使用し得る。
【００７１】
[0079]  ＵＥは、ＮＡＩＣ情報を使用して干渉消去または抑圧を行うためのＵＥ能力に関して情報をｅＮＢへ提供するように構成され得る。ＵＥによって提供され、ＮＡＩＣ情報を使用して干渉消去または抑圧を行うためのその能力に関する情報は、例えばキャリアアグリゲーションがイネーブルされるかどうか、採用された変調スキーム、ダウンリンク割り当てのランク、またはＣｏＭＰセットサイズのうちの少なくとも１つからもたらされる制約に関する情報を含み得る。例えば、キャリアアグリゲーションがイネーブルされる場合、ＵＥは、ＮＡＩＣが複数のコンポーネントキャリアのサブセット上でサポートされることをシグナリングし得る。例えば、もしＵＥがＱＡＭ−２５６を使用している場合、ＵＥはＮＡＩＣがサポートされないことをシグナリングし得る。ダウンリンク割り当てが定義されたランク閾値を超えるランクをもつ一態様で、ＵＥは、例えばＮＡＩＣが行われないことをシグナリングし得る。多地点協調(coordinated multipoint)セットサイズが定義されたセットサイズを超える一態様で、ＵＥは、例えばＮＡＩＣが行われないことをシグナリングし得る。他の代替は、ＵＥが上記特徴からのいくつかの組合せにおいてＮＡＩＣ情報を利用して干渉消去または抑圧を行うためのその能力をシグナリングすることである。例えば、ＵＥは２つのコンポーネントキャリアまでのＮＡＩＣの能力、または２のＣｏＭＰセットサイズまでのＮＡＩＣの能力をシグナリングできる。
【００７２】
[0080]  上述のシグナリング技法は、ネットワーク支援干渉消去を越えて拡張され得る。例えばシグナリング技法は、エンハンスド干渉緩和およびトラフィック適応（ｅＩＭＴＡ）の実施に拡張され得る。例えば、上述のシグナリング技法は、ｅＩＭＴＡ構成についての情報を直接ブロードキャストまたはグループキャストする近隣セルによって使用され得る。ｅＩＭＴＡのシグナリング周期性は、ｅＩＭＴＡ再構成期間に整合され得る。上述のシグナリング技法は、 セルのｅＩＭＴＡを電力制御ループへリンクするために使用され得る。ＵＥは、近隣セルのＴＤＤ構成に依存するダウンリンクサブフレームにおける他のユーザのアップリンク信号についてアップリンク干渉消去を行い得る。上記態様は先代的に干渉する基地局から受信される潜在的に干渉する基地局に関するＮＡＩＣ情報またはｅＩＭＴＡ構成情報を記載するものであるが、複数の態様でそのような情報はサービング基地局経由で受信され得る。
【００７３】
[0081]  開示された処理におけるステップの特定の順序または階層は、例示的なアプローチの一例であるということが理解されるべきである。設計の優先性に基づいて、これらの処理におけるステップの特定の順序または階層は並べ替えられうるということが理解される。さらに、いくつかのステップは組み合わされるか、または省略される。添付の方法の請求項は、様々なステップの要素をサンプルの順序で示したものであり、示された特定の順序または階層に限定されるようには意図されない。
【００７４】
[0082]  その上、「または／あるいは／もしくは（or）」という用語は、排他的な「または／あるいは／もしくは」というよりはむしろ包括的な「または／あるいは／もしくは」を意味するよう意図される。すなわち、そうではないと規定されていない、またはコンテキストから明らかでない限り、例えば、「ＸはＡまたはＢを採用する」という句は、自然な包括的置換のうちのいずれかを意味するよう意図される。すなわち、「ＸはＡまたはＢを採用する」という句は次に示すいずれの例、ＸはＡを採用する；ＸはＢを採用する；ＸはＡとＢの両方を採用する、によっても満たされる。それに加えて、本明細書および添付された請求項の範囲において使用される「ａ」および「ａｎ」という冠詞は、そうではないと規定されるか、単数形を指すとコンテキストから明らかでない限り「１つまたは複数」を意味すると一般的に解釈されるべきである。項目のリスト「のうちの少なくとも１つ」を指すフレーズは、単一のメンバを含む、それら項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることを意図する。
【００７５】
[0083]  先の説明は、当業者に、本明細書に説明された様々な態様を実現することを可能にさせるために提供されている。これらの態様への様々な修正は、当業者にとって容易に明らかとなり、ここに定義された一般的な原理は、他の態様に適用され得る。従って、特許請求の範囲は、本明細書に示される態様に限定されるように意図されたものではなく、特許請求の範囲の文言と矛盾しない最大範囲であると認められるべきであり、ここにおいて、単数のエレメントへの参照は、そのように明確に記載されていない限り、「１つおよび１つのみ」を意味するのではなく、むしろ「１つまたは複数」を意味するように意図されている。そうでないと具体的に記載されない限り、「何らかの／いくつかの」という用語は、１つまたは複数を指す。当業者に周知の、または後に周知となる、本開示を通して説明される様々な態様の要素と構造的および機能的に同等な物は全て、参照によって本明細書に明確に組み込まれ、特許請求の範囲に包含されるよう意図される。さらに、本明細書で開示されたものが、特許請求の範囲の中に明示的に記載されているか否かに関わらず、公に捧げられることを意図していない。要素が「〜のための手段」という表現を使用して明記されていない限り、どの請求項の要素もミーンズプラスファンクションとして解釈されるべきではない。
以下に、本願出願の当初の特許請求の範囲に記載された発明を付記する。
［Ｃ１］
ワイヤレス通信の方法であって、
潜在的に干渉する近隣基地局からのネットワーク支援干渉消去（ＮＡＩＣ）情報を受信することと、
前記ＮＡＩＣ情報を使用してサービング基地局からの信号を処理する際に干渉消去または抑圧を行うことと
を備える、方法。
［Ｃ２］
前記ＮＡＩＣ情報を受信することは、前記近隣基地局の拡張物理ダウンリンク制御チャネル（ｅＰＤＣＣＨ）を復号することを備える、Ｃ１に記載の方法。
［Ｃ３］
前記ｅＰＤＣＣＨを復号することは、速度整合を備え、ここにおいて前記速度整合は、前記ｅＰＤＣＣＨに関連付けられるＲＮＴＩ、前記ｅＰＤＣＣＨを含むｅＰＤＣＣＨセットにマッピングされる速度整合情報、またはｅＰＤＣＣＨセット内のｅＰＤＣＣＨ復号候補のうちの少なくとも１つに依存する、Ｃ２に記載の方法。
［Ｃ４］
前記ＵＥは同じｅＰＤＣＣＨに対して２つ以上の速度整合可能性で構成される、または
前記ＵＥは１つまたは複数のｅＰＤＣＣＨ復号候補に対して第１の速度整合構成を使用し、他のセルのための１つまたは複数の他のｅＰＤＣＣＨ復号候補に対して第２の速度整合構成を使用するように構成される
うちの少なくとも１つである、Ｃ３に記載の方法。
［Ｃ５］
ｅＰＤＣＣＨにおけるペイロードとして含まれるセルＩＤ、
複数のセルＩＤに対する複数のｅＰＤＣＣＨセットのマッピング、または
複数のセルＩＤに対するｅＰＤＣＣＨ速度整合のマッピング
のうちの少なくとも１つにより前記近隣セルの同一性を決定することをさらに備える、Ｃ２に記載の方法。
［Ｃ６］
前記近隣基地局に対するクアジコロケーション情報をチャネル状態情報基準信号（ＣＳＩ−ＲＳ）のシグナルされたセットに基づいて決定することをさらに備える、Ｃ１に記載の方法。
［Ｃ７］
新グループキャストＲＮＴＩを持つ前記ｅＰＤＣＣＨの開始シンボルを、
前記近隣セルからのＰＣＦＩＣＨを復号すること、
前記ｅＰＤＣＣＨの前記開始シンボルを半静的にシグナリングすること、または
前記ｅＰＤＣＣＨの固定された位置、のうちの少なくとも１つに基づいて決定することをさらに備える、Ｃ２に記載の方法。
［Ｃ８］
ＮＡＩＣ情報を運ぶグループキャストＲＮＴＩを持つ前記ｅＰＤＣＣＨは同一セルからの他のｅＰＤＣＣＨ送信と同じ開始シンボルを持つことを必要としない、Ｃ７に記載の方法。
［Ｃ９］
前記ＮＡＩＣ情報はＲＲＣシグナリングで受信される、Ｃ１に記載の方法。
［Ｃ１０］
前記ＮＡＩＣ情報は、
１つまたは複数のサブフレームにおける動的シグナリング、
何らかの周期性を持つ動的シグナリング、または
半永続的スケジューリング（ＳＰＳ）、で受信される、Ｃ１に記載の方法。
［Ｃ１１］
ＮＡＩＣ情報を運ぶ１つまたは複数の近隣基地局の検出、またはどのセル干渉が消去されるかのうちの少なくとも１つに関するフィードバックを提供することをさらに備える、Ｃ１に記載の方法。
［Ｃ１２］
ＮＡＩＣ情報を運ぶ１つまたは複数の近隣基地局の検出に関するフィードバックを提供することは、１つまたは複数の近隣セルからのＮＡＩＣ情報を運ぶ拡張物理ダウンリンク制御チャネル（ｅＰＤＣＣＨ）を検出することを備える、Ｃ１１に記載の方法。
［Ｃ１３］
前記ｅＰＤＣＣＨは、固定のアグリゲーションレベルを使用して送られる、Ｃ１２に記載の方法。
［Ｃ１４］
前記フィードバックは、ロングタームフィードバックまたはショートタームフィードバックであって、フィードバックを提供することは、消去の有無についての差分チャネル状態情報を報告することを備える、Ｃ１１に記載の方法。
［Ｃ１５］
どのセル干渉が消去されるかのフィードバックを提供することは、どのセル干渉が消去されるかのロングタームフィードバックまたはショートタームフィードバックを提供することを備える、Ｃ１１に記載の方法。
［Ｃ１６］
どのセル干渉が消去されるかのフィードバックを提供することは、１つまたは複数の基地局によって割り当てられた干渉管理リソース（ＩＭＲ）に基づくフィードバックを提供することを備える、Ｃ１１に記載の方法。
［Ｃ１７］
ワイヤレス通信の方法であって、
潜在的に干渉する近隣基地局からのネットワーク支援干渉消去（ＮＡＩＣ）情報を第１のキャリア上で受信することと、ここにおいて前記ＮＡＩＣ情報は第２のキャリアに関連する、
前記ＮＡＩＣ情報を使用してサービング基地局からの信号を処理する際に干渉消去または抑圧を行うことと
を備える、方法。
［Ｃ１８］
前記ＮＡＩＣ情報は、ＲＲＣシグラナリングで受信される、Ｃ１７に記載の方法。
［Ｃ１９］
前記ＮＡＩＣ情報は、拡張物理ダウンリンク制御チャネル（ｅＰＤＣＣＨ）シグナリングで受信される、Ｃ１７に記載の方法。
［Ｃ２０］
ワイヤレス通信の方法であって、
ネットワーク支援干渉消去（ＮＡＩＣ）情報を使用して干渉消去または抑圧を行うためのＵＥ能力の指標を提供することと、
潜在的に干渉する近隣基地局からのＮＡＩＣ情報を受信することと、
前記ＮＡＩＣ情報を使用してサービング基地局からの信号を処理する際に干渉消去または抑圧を行うことと
を備える、方法。
［Ｃ２１］
前記ＵＥは、キャリアアグリゲーションがイネーブルされるかどうか、採用された変調スキーム、ダウンリンク割り当てのランク、またはＣｏＭＰセットサイズのうちの少なくとも１つに基づいて、前記ＮＡＩＣ情報を使用する干渉消去または抑圧をサポートする際に１つまたは複数の処理技法を利用することを、何らかの方式で、制約される、Ｃ２０に記載の方法。
［Ｃ２２］
前記制約は、キャリアアグリゲーションがイネーブルされる場合に、コンポーネントキャリアのサブセット上でＮＡＩＣをサポートすることを備える、Ｃ２１に記載の方法。
［Ｃ２３］
ワイヤレス通信のための装置であって、
潜在的に干渉する近隣基地局からのネットワーク支援干渉消去（ＮＡＩＣ）情報を受信するように構成される受信機と、
前記ＮＡＩＣ情報を使用してサービング基地局からの信号を処理する際に干渉消去または抑圧を行うように構成されるプロセッサと
を備える、装置。
［Ｃ２４］
前記受信機は、前記近隣基地局の拡張物理ダウンリンク制御チャネル(ｅＰＤＣＣＨ)を復号することによって前記ＮＡＩＣ情報を受信するように構成される、Ｃ２３に記載の装置。
［Ｃ２５］
前記プロセッサは、チャネル状態情報基準信号（ＣＳＩ−ＲＳ）のシグナルされたセットに基づいて、前記近隣基地局のためのクワジコロケーション情報を決定するようにさらに構成される、Ｃ２３に記載の装置。
［Ｃ２６］
前記受信機は、
１つまたは複数のサブフレームにおける動的シグナリング、
何らかの周期性を持つ動的シグナリング、または
半永続的スケジューリング（ＳＰＳ）、で前記ＮＡＩＣ情報を受信するように構成される、Ｃ２３に記載の装置。
［Ｃ２７］
ＮＡＩＣ情報を運ぶ１つまたは複数の近隣基地局の検出、またはどのセル干渉が消去されるかのうちの少なくとも１つに関するフィードバックを提供するように構成される送信機をさらに備える、Ｃ２３に記載の装置。
［Ｃ２８］
ＮＡＩＣ情報を運ぶ１つまたは複数の近隣基地局の検出に関するフィードバックを提供することは、１つまたは複数の近隣セルからのＮＡＩＣ情報を運ぶ拡張物理ダウンリンク制御チャネル（ｅＰＤＣＣＨ）を検出することを備える、Ｃ２７に記載の装置。
［Ｃ２９］
どのセル干渉が消去されるかのフィードバックを提供することは、どのセル干渉が消去されるかのロングタームフィードバックまたはショートタームフィードバックを提供することを備える、Ｃ２７に記載の装置。
［Ｃ３０］
どのセル干渉が消去されるかのフィードバックを提供することは、１つまたは複数の基地局によって割り当てられた干渉管理リソース（ＩＭＲ）に基づくフィードバックを提供することを備える、Ｃ２７に記載の装置。
【図１】
0006545683.tif 000002
【図２】
0006545683.tif 000003
【図３】
0006545683.tif 000004
【図４】
0006545683.tif 000005
【図５】
0006545683.tif 000006
【図６】
0006545683.tif 000007
【図７】
0006545683.tif 000008
【図８】
0006545683.tif 000009
【図９】
0006545683.tif 000010
【図１０】
0006545683.tif 000011